(57)【要約】【課題】端末パソコンがインターネットに常時接続されること、デスクトップにミニアプリケーションとして画像を伴うガジェットが設けられることを条件として、当該ミニアプリケーションの特定ソフトに基づく特定のホームページをサーバに開設して、当該ホームページの画像を端末パソコンの起動時に表示できるようにした。【解決手段】インターネットを用いた画像ソフトの購買方法であって、端末パソコンのデスクトップにサイドバーが設けられ、このサイドバーに複数の画像、情報を表示するガジェットが設けられ、サーバに、オーナーがホームページを開設し、該ホームページに、前記ガジェットと同じソフトを用いて情報提供者の商品の画像又は情報を掲載し、前記端末パソコンの起動と同時に前記ホームページと前記ガジェットとがリンクされ、前記ホームページの画像、情報が表示されるようにした。【選択図】図１
2008176755.tif 000002
【特許請求の範囲】
【請求項１】
端末パソコンが常時接続でインターネット回線に接続され、サーバが該インターネット回線を通じて端末パソコンに画像を提供できるようにされたインターネットを用いた画像ソフトの購買方法であって、
前記端末パソコンのデスクトップにサイドバーが設けられ、このサイドバーに複数の画像、情報を表示するガジェットが設けられ、
前記サーバに、オーナーがホームページを開設し、該ホームページに、前記ガジェットと同じソフトを用いて情報提供者の商品の画像又は情報を掲載し、
前記端末パソコンの起動と同時に前記ホームページと前記ガジェットとがリンクされ、前記ホームページの画像、情報が表示されるようにし、
前記ホームページに表示された画像、情報をダウンロードできる、
ことを特徴とするインターネットを用いた画像ソフトの購買方法。
【請求項２】
前記ガジェットは、少なくとも時計、カレンダー、付箋（メモ帳）の一つを含むことを特徴とする請求項１のインターネットを用いた画像ソフトの購買方法。
【請求項３】
前記ガジェットが時計である場合、該ガジェットに前記ホームページの時計画像が表示されたときに、当該時計画像が所定の時刻を刻むようにされていることを特徴とする請求項２のインターネットを用いた画像ソフトの購買方法。
【請求項４】
前記ホームページに表示された画像、情報をクリックすることで、当該画像の商品を購入するための手続き画面にジャンプすることを特徴とする請求項１乃至請求項３のインターネットを用いた画像ソフトの購買方法。
【請求項５】
前記端末パソコンのユーザーに対して、予め情報提供者と取り決めた所定の条件に基づき、希望の情報である画像ソフトを提供することを特徴とする請求項１のインターネットを用いた画像ソフトの購買方法。
【発明の詳細な説明】
【技術分野】
【０００１】  本発明は、インターネットを用いた画像ソフトの購買方法にかかるビジネスモデルに関する。
【背景技術】
【０００２】  昨今、インターネットを用いた商品の通信販売がビジネスとして成功を収めている。
この方法は、ユーザー（購買者）である多数の端末のパソコンをインターネットに接続し、そこに開設されたマーケットの多数の店舗に掲載された所定の商品を、パスワード、カード番号（信販、銀行等）等を用いて購入できるようにしたものである。【０００３】  このようなインターネットを用いた商品の販売に関わるビジネスモデルの例としては、次の提案がなされている。
【特許文献１】特開２００４−２８７３９３。
【特許文献２】特開２００２−４１９３８。
【発明の開示】
【発明が解決しようとする課題】
【０００４】  上記のインターネットを用いた商品の販売の場合、ビジネスとしては、一方において、サーバのホームページ開設者と、そこに商品を掲載する情報提供者との間に、情報提供者からホームページ開設者に対する開店のための契約金乃至使用料が発生し、他方において、情報提供者は、端末パソコンから発注された商品を販売することで金品の授受がなされる。【０００５】  そこに用いられるホームページとは、そこに開設される商店の商品の画像等が、ホームページ開設者が自らのソフトにより作成されたものであり、端末パソコンのユーザー（購買者）は、インターネット回線にコンタクトし、当該ホームページを探し出して、所定の商店に到達し、当該商品に関する情報を入手し、購買を行うものであった。
即ち、このような従来のインターネット回線による商品の購買は、端末パソコンのユーザー（購買者）のコンタクトがあって、初めて可能となるシステムである。
また、ユーザー（購買者）のコンタクトがあっても、その画像をダウンロードするだけであって、ユーザー（購買者）のパソコンでダウンロードした画像がデスクトップで稼動できるものではなかった。【０００６】  他方、端末パソコンとして、通常、電源を入れたときに立ち上がるデスクトップに、デジタル時計が小さな文字で表示されているが、こうしたデスクトップは、パソコンの基本ソフトによって構成されるものである。
そして、このデスクトップには、他の複数のアイコンと共にミニアプリケーションとして、サイドバーが設けられるようになってきている。
このガジェットには、上述した小さな文字のデジタル時計に変わる大きな時計の画像を用い、アナログ表示が可能な方式が採用されつつある。
そして、近年においては、インターネットが常時接続されるのが普通のこことなってきている。【０００７】  本発明の第１の目的は、端末パソコンがインターネットに常時接続されること、デスクトップにミニアプリケーションとして画像を伴うガジェットが設けられることを条件として、当該ミニアプリケーションの特定ソフトに基づく特定のホームページをサーバに開設して、当該ホームページの画像を端末パソコンの起動時に表示できるようにし、且つ、ダウンロードできるようにすることで、ホームページの画像ソフトを購買対象とすることができるようにすることを目的とする。【０００８】  本発明の第２の目的は、端末パソコンの起動時にホームページとリンクされたときに、そのデスクトップに現れた画像をクリックすることで、ホームページの画像商品を購入できるようにすることである。
【課題を解決するための手段】
【０００９】  本発明にかかるインターネットを用いた画像ソフトの購買方法は、上記課題を解決するために、請求項１に記載の通り、
端末パソコンが常時接続でインターネット回線に接続され、サーバが該インターネット回線を通じて端末パソコンに画像を提供できるようにされたインターネットを用いた画像ソフトの購買方法であって、
前記端末パソコンのデスクトップにサイドバーが設けられ、このサイドバーに複数の画像、情報を表示するガジェットが設けられ、
前記サーバに、オーナーがホームページを開設し、該ホームページに、前記ガジェットと同じソフトを用いて情報提供者の商品の画像又は情報を掲載し、
前記端末パソコンの起動と同時に前記ホームページと前記ガジェットとがリンクされ、前記ホームページの画像、情報が表示されるようにし、
前記ホームページに表示された画像、情報をダウンロードできる、
ことを特徴とする。【００１０】  本発明において、端末パソコンとは、インターネットに接続される個々のコンピューターのことを言う。
そして、購買される画像ソフトとは、情報提供者が作成し、サーバに提供して蓄えられた画像、文字等を言い、ダウンロードが可能なソフトを言う。
また、常時接続とは、常にネットワークにアクセス可能な状態にあることを言う。例えば、ブロードバンドインターネット接続（ＣＡＴＶ、ＡＤＳＬ、ＦＴＴＨ、ＦＷＡ）などである。
更に、端末パソコンの起動とは、起動の電源スイッチを入れ、デスクトップが立ち上がることを言う。
サーバは、インターネットに接続された情報を提供する（ホームページ）従来のサーバと同じである。
デスクトップのサイドバーに設けるガジェットとは、最近のパソコンにおいて設けられるもので、複数のアイテム（例えば、時計、カレンダー、付箋）が存在する。このガジェットは、そのパソコンの特定のソフトによって構築されるものである。
【発明の効果】
【００１１】  本発明によれば、デスクトップのガジェットと同じソフトによりホームページの画像、例えば時計を構築し、当該ホームページの時計画像を端末パソコンの起動時にデスクトップに表示できるようにし、且つ、ダウンロードできるようにすることで、ホームページの画像が選択可能で、且つ、購買対象とすることができ、そのダウンロードにより所定の対価（画像意匠の使用料）をホームページのオーナーに支払い、該オーナーは、ホームページに画像を掲載する情報提供者に対応する対価を支払うと共に情報提供者は、ホームページのオーナーに画像掲載の対価を支払うというような取引形態（一例）で、画像ソフトの取引が成立する。
このホームページの例えば時計画像は、ガジェットと同じソフトにより構築されているので、インターネットがリンクされた時に、その時計機能が稼動されるものである。【００１２】  そして、端末パソコンから、そのホームページの画像をクリックすることで、当該ホームページにジャンプし、当該画像商品の購買手続きが可能となる。
このように、従来、パソコンの利用者は、必要とする情報（画像ソフト）を、パソコンを操作して自ら検索しなければならなかったが、サーバに開いたオーナーのホームによって、所望の情報、或いは予期せぬ情報を予め取り決めた条件（購買料金で）により情報提供者から、パソコン立ち上げと同時に受け取ることができるのである。
そして、情報提供者は、意図するパソコンの利用者に対して確実に素早く情報を伝達できるため、そのビジネスチャンスは互いに非常に利益のあるものとなる。
【発明を実施するための最良の形態】
【００１３】  本発明の実施に際しては、前記ガジェットは、少なくとも時計、カレンダー、付箋（メモ帳）の一つを含むことが好ましく、これらのガジェットに対応し、ホームページの対応する画像が、同じソフトにより構築される。
これにより、パソコンが起動されると同時にインターネットに接続され、当該ガジェットにホームページからの画像、情報が表示され、パソコンの立ち上げと同時に新しい情報が得られることになる。【００１４】  また、これらのガジェットに対応し、ホームページの対応する画像が、同じソフトにより構築されていることで、前記ガジェットが時計である場合、該ガジェットに前記ホームページの時計画像が表示されたときに、その情報提供者の時計の画像が、秒針、分針、時針が所定の時刻を刻んで稼動することになる。【００１５】  更に、前記ホームページに表示された画像、情報をクリックすることで、当該画像の商品を購入するための手続き画面にジャンプできるようにすることが好ましく、このようにすることで、画像ソフトの取引と合わせて、当該画像商品の購買につなげることができる。
また、前記端末パソコンのユーザーに対して、予め情報提供者と取り決めた所定の条件に基づき、希望の情報である画像ソフトを提供することができる。
【実施例】
【００１６】  本発明の実施の形態を、図面を参照して以下詳述する。
図１は、本発明のインターネットの概要を示す模式図であり、図２は、デスクトップを示す正面図である。
図１に示すように、多数の端末パソコン１が常時接続でインターネット回線２に接続され、サーバ３が該インターネット回線２を通じて端末パソコン１に画像を提供できるようにされている。【００１７】  他方、図２に示すように、前記端末パソコン１のデスクトップ４に、この端末パソコン１にインストールされたソフトによって、サイドバー５が設けられ、このサイドバー５に複数の画像、情報を表示するガジェット６Ａ、６Ｂ、６Ｃが設けられている。このソフトの開発者Ｂは、システムの構築者として、画像ソフトの権利者となっている。
ここでは、ガジェット６Ａは、画像による通常のアナログ時計（文字盤）を示し、ガジェット６Ｂは、カレンダーを示し、ガジェット６Ｃは、付箋（メモ帳）を示す。【００１８】  他方、サーバ３に、このシステムの運営者であるホームページ開設者Ａがホームページ３Ａ、３Ｂ、３Ｃを開設し、該ホームページ３Ａ、３Ｂ、３Ｃに、前記ガジェット６Ａ、６Ｂ、６Ｃと同じソフトを用いて情報提供者Ｂ１、Ｂ２、Ｂ３の商品の画像（又は情報）を掲載する。
インターネットに常時接続された前記端末パソコン１の起動と同時に前記ホームページ３Ａ、３Ｂ、３Ｃと前記ガジェット６Ａ、６Ｂ、６Ｃとがリンクされ、前記ホームページ３Ａ、３Ｂ、３Ｃの画像、情報が、そのガジェット６Ａ、６Ｂ、６Ｃに表示される。【００１９】  前記端末パソコン１の側から、当該ガジェット６Ａ、６Ｂ、６Ｃをクリックすることによって、前記ホームページ３Ａ、３Ｂ、３Ｃに表示された画像、情報をダウンロードできる。
この実施例では、前記ガジェット６Ａは、アナログの時計画像であり、ガジェット６Ｂは、カレンダー、６Ｃは、付箋（メモ帳）である。【００２０】  前記ガジェット６Ａが時計である場合、該ガジェット６Ａに前記ホームページ３Ａの時計画像から選択された時計画像が表示されたときに、当該時計画像が、ガジェット６Ａと同じソフトによって構成されていることで、表示と同時に所定の時刻を刻むように稼動させることができる。【００２１】  そして、リンクされている状態で、前記ホームページ３Ａに表示された画像、情報を、デスクトップ４のガジェット６Ａの画像をクリックすることで、当該画像の商品を購入するための手続き画面にジャンプすることができる。このソフトについては、従来のインターネットによる商品購入のための手順と同じであり、その詳細説明は省く。【００２２】  上記ガジェット６Ｂのカレンダーである場合、同様に、ホームページ３Ｂに、対応するカレンダーの画像が複数掲載され、その何れかがリンク時にガジェット６Ｂに現れ、更に、現れた画像をクリックすることで、ホームページ３Ｂに直接リンクされ、容易されたカレンダー及び関連の情報を入手することができる。
ここでは、日時表示と同様に、情報提供者と予め取り決めた所定の条件（日時、内容等）に基づいてカレンダー内に必要とする情報を知らせることが出来る。
例えば、情報提供者が病院で、端末パソコンのユーザーが患者であれば、通院の通知、予約を告知できる。【００２３】  上記ガジェット６Ｃの付箋（メモ帳）については、同様に、ホームページ３Ｃに、対応する付箋（メモ帳）の画像が複数掲載され、その何れかがリンク時にガジェット６Ｃに現れ、更に、現れた画像をクリックすることで、ホームページ３Ｃに直接リンクされ、用意された付箋（メモ帳）の画像及び関連の情報を入手することができる。【００２４】  上記ガジェット６Ａ、６Ｂ、６Ｃとして、時計、カレンダー、付箋（メモ帳）を示したが、他の画像又は情報としてもよく、例えば、付箋（メモ帳）に、情報提供者の新型自動車のＣＭの一部が流れるようにしてもよい。【００２５】  上記のインターネットの利用形態によって、情報提供者Ｂ１、Ｂ２、Ｂ３とサーバ３のホームページ開設者Ａとの間に、ホームページ開設のビジネスが成立し、ホームページ開設者Ａと端末パソコンのユーザーとの間には、ホームページ上の画像意匠の使用についてのビジネスが成立し、ホームページ開設者Ａと、パソコンのサイドバーとガジェットを構築するソフトの開発者Ｂとの間に、当該ソフトを用いてホームページの画像を構築することのビジネスが成立する。
【産業上の利用可能性】
【００２６】  本発明の端末パソコンがインターネットに常時接続されること、デスクトップにミニアプリケーションとして画像を伴うガジェットが設けられるという条件を満たせば、格別の操作を行うことなく、（１）情報提供者の新しい情報（画像ソフト）が瞬時に得られ、（２）情報提供者と取り決めた所定の条件（日時。内容等）に基づき必要とする情報を確実に必要なときに得られるのであり、これまでとは異なる情報の伝達と画像ソフト自体の取引が可能であり、その応用範囲は非常に広い。
【図面の簡単な説明】
【００２７】
【図１】本発明にかかるインターネットの回路の模式図である。
【図２】本発明にかかるデスクトップのサイドバーを示す正面図である。
【符号の説明】
【００２８】１：端末パソコン
２：インターネット回線
３：サーバ
３Ａ：ホームページ
３Ｂ：ホームページ
３Ｃ：ホームページ
４：デスクトップ
５：サイドバー
６Ａ：ガジェット
６Ｂ：ガジェット
６Ｃ：ガジェット
【図１】
2008176755.tif 000003
【図２】
2008176755.tif 000004